(57)【要約】【課題】保護カバーの必要性とオプション部品の装着とに関する相反する問題を解消する。【解決手段】出力部を覆っている金属製の駆動部ケース１１の外面にオプション部品６を装着自在としている電動工具である。上記駆動部ケース１１の上記オプション部品装着部を被覆する保護カバー１３を備えているとともに該保護カバー１３が駆動部ケース１１に対して着脱自在であり、前記オプション部品６は上記保護カバー１３に代えて駆動部ケース１１に装着される。常時は保護カバー１３で駆動部ケース１１を覆っているものの、オプション部品６の装着時には保護カバー１３を外して駆動部ケース１１外面にオプション部品６を直接取り付ける。【選択図】図１
2005040935.tif 000002
【特許請求の範囲】
【請求項１】
出力部を覆っている金属製の駆動部ケースの外面にオプション部品を装着自在としている電動工具において、上記駆動部ケースの上記オプション部品装着部を被覆する保護カバーを備えているとともに該保護カバーが駆動部ケースに対して着脱自在となっており、前記オプション部品は上記保護カバーに代えて駆動部ケースに装着されるものであることを特徴とする電動工具。
【請求項２】
前記保護カバーは弾性体で形成されているとともに、駆動部ケースにおけるオプション部品装着部を覆う第１保護カバーと、オプション部品装着部以外の部分を覆う第２保護カバーとに分割されて、第１保護カバーのみが着脱自在となっていることを特徴とする請求項１記載の電動工具。
【発明の詳細な説明】
【技術分野】
【０００１】
本発明は、電動工具、殊に出力部を覆っている金属製の駆動部ケースの外面にオプション部品を装着することができる電動工具に関するものである。
【背景技術】
【０００２】
電動工具がインパクトドライバーのような打撃衝撃を発生するものである場合、その出力部を覆って出力軸等を支持する駆動部ケースは、金属製としなくては強度等を満足することができない。しかし、振動及び発熱がある出力部を覆う駆動部ケースが露出したままであると、火傷のおそれ等があるために、使用者が作業中に手を添えることができない。また、駆動部ケースの前端が作業面に当たると作業面を傷付けてしまうことがある。このような点からすれば、上記駆動部ケースの外面には断熱性を有する保護カバーを装着しておくことが望ましい。
【０００３】
一方、特許文献１に示されているようなねじ締め深さを一定にするための締め付け深さ調整用アタッチメントや、リング状の照明といったオプション部品を駆動部ケースに装着する場合のことを考えると、保護カバーの上からオプション部品の取付を行ったのでは、オプション部品ががたついて作業中に外れてしまったりする虞がある。
【特許文献１】特公平６−５７３９３号公報
【発明の開示】
【発明が解決しようとする課題】
【０００４】
本発明は上記の従来の問題点に鑑みて発明したものであって、保護カバーの必要性とオプション部品の装着とに関する相反する問題を解消することができる電動工具を提供することを課題とするものである。
【課題を解決するための手段】
【０００５】
上記課題を解決するために本発明は、出力部を覆っている金属製の駆動部ケースの外面にオプション部品を装着自在としている電動工具において、上記駆動部ケースの上記オプション部品装着部を被覆する保護カバーを備えているとともに該保護カバーが駆動部ケースに対して着脱自在となっており、前記オプション部品は上記保護カバーに代えて駆動部ケースに装着されるものであることに特徴を有している。常時は保護カバーで駆動部ケースを覆っているものの、オプション部品の装着時には保護カバーを外して駆動部ケース外面にオプション部品を直接取り付けるようにしたものである。
【０００６】
前記保護カバーは弾性体で形成されているとともに、駆動部ケースにおけるオプション部品装着部を覆う第１保護カバーと、オプション部品装着部以外の部分を覆う第２保護カバーとに分割されて、第１保護カバーのみが着脱自在となっていると、オプション部品の装着時にも、作業中に使用者が金属製の駆動部ケース外面に触れてしまうことがないようにすることができる。
【発明の効果】
【０００７】
本発明は、駆動部ケースのオプション部品装着部を被覆する保護カバーを備えているために、保護カバーによる保護機能を常時は利用することができるものであり、しかもオプション部品の装着に際しては、上記保護カバーを外すために駆動部ケースに直接オプション部品の取付を行うことができて、がたつきのない装着状態を得ることができる。
【発明を実施するための最良の形態】
【０００８】
以下、本発明を添付図面に示す実施形態に基いて説明すると、図２に示す電動工具は、モータ及び駆動機構を内蔵する本体部１と一体のグリップ部１０の下端に電池パック１５を着脱自在に装着した電動インパクトドライバーであり、グリップ１０の上端部にトリガースイッチ１６と回転方向切換レバー１７とを備えており、本体部１の前端にはドライバービット９を保持するチャック２０を備えている。図２中の１９はグリップ部１０の下端部に配設したフックである。
【０００９】
上記本体部１及びグリップ部１０は、左右二つ割のハウジング１ａ，１ｂに、出力軸２が先端から突出するインパクト駆動機構３を覆う駆動部ケース１１を連結したものとして形成されており、金属製である駆動部ケース１１の外面には保護カバー１３，１４が装着されている。前後に並ぶこれら保護カバー１３，１４は、弾性及び断熱性を有する材料、たとえばウレタンゴムで形成されたものであり、前端側の保護カバー１３はオプション部品の取付のために駆動部ケース１１に対して着脱自在とされている。
【００１０】
駆動部ケース１１の外周部でグリップ部１０の上端前方位置に取り付けられているライト５は作業対象箇所の照明用であって、透明樹脂製のレンズブロック５０と、このレンズブロック５０に設けられた発光体収納凹部内に配された高輝度発光ダイオード５１とからなる該ライト５５は、前記ハウジング１ａ，１ｂとの係合部を備えている取付枠５５を介して取り付けられ、トリガースイッチ１６の操作でモータを駆動している時には常時点灯する。
【００１１】
上記電動工具にオプション部品を取り付ける時は、図１(a)に示すように、保護カバー１３を取り外すことで駆動部ケース１１の前端部の外面を露出させて、この部分に装着する。図示例のオプション部品は、締め付け深さの調整用のアタッチメント６である。
【００１２】
駆動部ケース１１の前端部外周に固定される取付部６０と、この取付部６０に螺合するアジャスト部６５とからなる上記アタッチメント６は、図７に示すように割溝６２が施された取付部６０をねじ６１で締め付けることで、駆動部ケース１１の前端部外面に締め付け固定されるものであり、この時、保護カバー１３は取り外して駆動部ケース１１外面に直接取り付けることから、がたつきなどが生じたりすることがない。
【００１３】
アタッチメント６におけるアジャスト部６５は、上記取付部６０の先端の雄ねじ部に内周面の雌ねじを螺合させることで取付部６０に連結されるもので、取付部６０に対してアジャスト部６５を回転させたならば、両者の螺合連結部における螺進退によってアジャスト部６５が前後に移動するものであり、このために締め付け深さの調整を行うことができる。アジャスト部６５の内部に配されたばね受け６６とばね６７とクリック部材６９は、取付部６０との係合により、上記調整に際してのクリック感の付与及び緩み止めを行う。
【００１４】
ここで、弾性体からなるとともに断熱性を有している２つの保護カバー１３，１４で金属製の駆動部ケース１１の外面を覆っているのは、オプション部品の装着部を露出させるために保護カバー１３を取り外す時、オプション部品の装着部のみを露出させ、他の部分は保護カバー１４で覆ったままとして、作業中に使用者が本体１の前部に手を添えても金属製の駆動部ケース１１に直接触れることないようにしているためである。
【００１５】
また、オプション部品の取付のためには、駆動部ケース１１における装着部の外形状をオプション部品の取付を前提とした形にしておかなくてはならないが、この形状は、保護カバー１３の取付にも有効であるとともに、保護カバー１３の外形状は、狭い場所での作業性を考慮した流線型にしておくことができるために、良好な作業性の確保の点でも好ましい結果を得ることができる。
【００１６】
なお、図示例の保護カバー１３は自身が有している弾性を利用して駆動部ケース１１に着脱するようにしているが、このような構成に限定されるものではない。
【図面の簡単な説明】
【００１７】
【図１】本発明の実施の形態の一例を示すもので、(a)はオプション部品装着前の状態を示す部分側面図、(b)はオプション部品装着後の状態を示す部分側面図である。
【図２】同上の側面図である。
【図３】同上のオプション部品装着時の斜視図である。
【図４】同上の部分縦断面図である。
【図５】同上のオプション部品装着時の部分縦断面図である。
【図６】同上の駆動部ケースと保護カバーの分解斜視図である。
【図７】同上のオプション部品の分解斜視図である。
【符号の説明】
【００１８】
１  本体
６  アタッチメント（オプション部品）
１１  駆動部ケース
１３  保護カバー
１４  保護カバー
【図１】
2005040935.tif 000003
【図２】
2005040935.tif 000004
【図３】
2005040935.tif 000005
【図４】
2005040935.tif 000006
【図５】
2005040935.tif 000007
【図６】
2005040935.tif 000008
【図７】
2005040935.tif 000009